(57)【要約】      （修正有）【課題】棚、戸棚、書棚等の板状の被取付体に取り付けて、室内用の物干し棒等を橋架することが可能な新規の物掛け具を提供する。【解決手段】本考案に係る物掛け具１は、全体形状がＵ字状であり、前記挟持部１１は前記Ｕ字状の物掛け具１の両端部で構成され、前記被取付体３を両端部の間に差し込んだ状態で上下方向から挟持するものであり、前記物掛け部１２は前記Ｕ字状の物掛け具１に於けるＵ字状に曲折した曲折部で構成され、前記棒状部４を曲折部に挿通した状態で支承するものである。【選択図】図１
0003221717.tif 000002
【実用新案登録請求の範囲】
【請求項１】
略水平状態にある板状の被取付体に、当該被取付体の板面と略平行となる様に棒状部を取り付けるための一対の物掛け具であって、
前記被取付体を上下方向から挟持する一対の挟持部と、
前記挟持部から、当該挟持部が挟持する被取付体とは反対側の方向に突設し、かつ、前記棒状部を支承する物掛け部とを少なくとも備える物掛け具。
【請求項２】
前記物掛け具の全体形状はＵ字状であり、
前記挟持部は前記Ｕ字状の物掛け具の両端部で構成され、前記被取付体を両端部の間に差し込んだ状態で上下方向から挟持するものであり、
前記物掛け部は前記Ｕ字状の物掛け具に於けるＵ字状に曲折した曲折部で構成され、前記棒状部を曲折部に挿通した状態で支承するものである請求項１に記載の物掛け具。
【請求項３】
前記一対の挟持部は、
長手方向の中間部に於いて枢軸によって回動自在に連結されることにより、前記挟持部の基端部側に互いに接離操作される一対の接離操作部と、
前記挟持部の先端部側に前記接離操作によって開閉し、前記被取付体を挟持する把持部とを備え、
前記物掛け部は、前記一対の接離操作部に於ける下方側の終端部に設けられている請求項１に記載の物掛け具。
【考案の詳細な説明】
【技術分野】
【０００１】
本考案は、棚、戸棚、書棚等の板状の被取付体に取り付けて、室内用の物干し棒等を橋架することが可能な物掛け具に関する。
【背景技術】
【０００２】
従来、棚や鴨居等に取り付けてハンガー等を吊り下げるための物掛け具が種々提案されている。例えば、下記特許文献１には、係止部及びこの係止部の前縁から下方に向けて延設された前面板からなる支持部と、被取付体に下方から当接する当接部が設けられた物掛け部とを備えた構造の物掛け具が開示されている。支持部の前面板には物掛け部を挿通支持する円形の支持孔が設けられており、これにより、この物掛け部にハンガー等を吊り下げることが可能となっている。
【０００３】
また、下記特許文献２には、略垂直状態に設けられる支持体に腕体を前方に略水平状態に設けて被取付体に取り付けることを可能にする物掛け具が開示されている。この物掛け具は、腕体を、支持体から外すことなく上下に移動させることができ、かつその移動距離も大きくすることができる。また、腕体を挿通する受孔が上下方向に複数連続して設けられているので、その間隔を小さくすることも可能であり、簡単な操作で広い範囲にわたって微細な調整が可能となっている。
【先行技術文献】
【特許文献】
【０００４】
【特許文献１】特開２００５−７０８７号公報
【特許文献２】特開２００７−２７５１９４号公報
【考案の概要】
【考案が解決しようとする課題】
【０００５】
本考案は、棚、戸棚、書棚等の板状の被取付体に取り付けて、室内用の物干し棒等を橋架することが可能な新規の物掛け具を提供することを目的とする。
【課題を解決するための手段】
【０００６】
本考案に係る物掛け具は、前記の課題を解決するために、略水平状態にある板状の被取付体に、当該被取付体の板面と略平行となる様に棒状部を取り付けるための一対の物掛け具であって、前記被取付体を上下方向から挟持する一対の挟持部と、前記挟持部から、当該挟持部が挟持する被取付体とは反対側の方向に突設し、かつ、前記棒状部を支承する物掛け部とを少なくとも備えることを特徴とする。
【０００７】
前記の構成に於いて、前記物掛け具の全体形状はＵ字状であり、前記挟持部は前記Ｕ字状の物掛け具の両端部で構成され、前記被取付体を両端部の間に差し込んだ状態で上下方向から挟持するものであり、前記物掛け部は前記Ｕ字状の物掛け具に於けるＵ字状に曲折した曲折部で構成され、前記棒状部を曲折部に挿通した状態で支承するものであってもよい。
【０００８】
また前記の構成に於いては、前記一対の挟持部は、長手方向の中間部に於いて枢軸によって回動自在に連結されることにより、前記挟持部の基端部側に互いに接離操作される一対の接離操作部と、前記挟持部の先端部側に前記接離操作によって開閉し前記被取付体を挟持する把持部とを備え、前記物掛け部は、前記一対の接離操作部に於ける下方側の終端部に設けられていてもよい。
【考案の効果】
【０００９】
本考案に係る物掛け具は、上下方向から挟持する一対の挟持部を備えるので、棚、戸棚、書棚等の板状の被取付体への取付けを可能にする。また、本考案に係る物掛け具は、挟持部から、当該挟持部が挟持する被取付体とは反対側の方向に突設する物掛け部を備えるので、当該物掛け部に於いて、室内用の物干し棒等の棒状部を支承することが可能になる。
【００１０】
即ち、本考案に係る物掛け具であると、板状の被取付体に取り付けることで、室内用の物干し棒等の棒状部を橋架することが可能な物掛け具を提供することができる。
【図面の簡単な説明】
【００１１】
【図１】本考案の実施の一形態に係る物掛け具を用いて、被取付体に棒状部が橋架された様子を表す斜視図である。
【図２】前記物掛け具を用いて、被取付体に棒状部が橋架された様子を表す平面図である。
【図３】本考案の他の実施の形態に係る物掛け具を用いて、被取付体に棒状部が橋架された様子を表す斜視図である。
【図４】前記物掛け具を用いて、被取付体に棒状部が橋架された様子を表す平面図である。
【考案を実施するための形態】
【００１２】
（実施の形態１）
本実施の形態１に係る物掛け具について、図１及び図２に基づき以下に説明する。図１は、本実施の形態１に係る物掛け具を用いて、被取付体に棒状部が橋架された様子を表す斜視図である。図２は、前記物掛け具を用いて、被取付体に棒状部が橋架された様子を表す平面図である。
【００１３】
本実施の形態の物掛け具１は、図１及び図２に示す様に、円筒状のパイプを中央部でＵ字状に曲折した全体形状を有しており、一対の挟持部１１と、物掛け部１２とを少なくとも有している。
【００１４】
本実施の形態に於いて、パイプの横断面形状（延在方向に対し垂直な方向の断面形状）は略円形状である。また、横断面形状に於けるパイプの直径は、物掛け具１の機械的強度が損なわれず、室内用の物干し棒等の支承が可能な程度であれば特に限定されない。尚、パイプの横断面形状は略円形状の場合に限定されない。例えば、楕円形状、矩形状、多角形状等であってもよい。
【００１５】
前記挟持部１１は、Ｕ字状に曲折したパイプが略平行となる様に延在して構成される。パイプは相互に離間しており、これにより、パイプの間に板状の被取付体３を差し込んだ状態で、図１に示す上下方向から当該被取付体３を挟持することが可能になっている。
【００１６】
前記挟持部１１はそれぞれ、一方が開口し他方が有底の係止部１３により密着して包摂されている。係止部１３は、被取付体３に対して滑り止め機能を発揮する材料で構成されている。これにより、挟持部１１に被取付体３を差し込んで挟持した際に、物掛け具１の位置ズレや脱落を抑制することができる。係止部１３の材料は特に限定されず、例えば、ゴム等の摩擦抵抗が大きいものを用いることができる。尚、係止部１３の長さは特に限定されず、適宜必要に応じて設定することができる。
【００１７】
前記挟持部１１（パイプ）の離間距離Ｌは、棚、戸棚、書棚等の板状の被取付体を挟持できる程度であれば特に限定されない。通常は、２ｃｍ〜５ｃｍの範囲であり、好ましくは２．５ｃｍ〜３．５ｃｍ、より好ましくは、２ｃｍ〜３ｃｍである。
【００１８】
前記物掛け部１２は、Ｕ字状のパイプが略１８０度曲折した曲折部１４と、曲折したパイプ同士を連結する連結部１５と、曲折部１４と連結部１５により画定される開口部１６とにより構成される。開口部１６が画定されることにより、当該開口部１６への棒状部４の挿通が可能となっている。棒状部４を開口部１６に挿通することにより、物掛け部１２に於いて当該棒状部４の支承を可能にする。
【００１９】
前記連結部１５の形成位置は、棒状部４の挿通が可能な開口部１６が画定される程度であれば特に限定されない。
【００２０】
前記連結部１５の横断面形状（延在方向に対し垂直な方向の断面形状）は略円形状であり、その直径は連結部１５の機械的強度が確保される限り特に限定されない。尚、連結部１５の横断面形状は略円形状の場合に限定されない。例えば、楕円形状、矩形状、多角形状等であってもよい。
【００２１】
前記開口部１６の開口面積は棒状部４が挿通可能な程度であれば特に限定されない。
【００２２】
前記被取付体３としては特に限定されず、例えば、棚、戸棚、書棚等の板状のものが挙げられる。また、前記棒状部４としては特に限定されず、例えば、室内用の物干し棒等が挙げられる。
【００２３】
以上の様に、本実施の形態１に係る物掛け具１は、一対の挟持部１１の間に板状の被取付体３を差し込んだ状態で、当該被取付体３を上下方向から挟持することができる。また、物掛け部１２は棒状部４を挿通した状態で当該棒状部４を支承することが可能となっている。これにより、本実施の形態の物掛け具１であると、当該物掛け具１を被取付体３に取り付けることで、室内用の物干し棒等の棒状部４を簡便に橋架することができる。
【００２４】
（実施の形態２）
本実施の形態２に係る物掛け具について、図３及び図４に基づき以下に説明する。図３は、本実施の形態２に係る物掛け具を用いて、被取付体に棒状部が橋架された様子を表す斜視図である。図４は、前記物掛け具を用いて、被取付体に棒状部が橋架された様子を表す平面図である。尚、実施の形態１に係る物掛け具１と同一の構成については同一の符号を付してその詳細な説明を省略する。
【００２５】
本実施の形態の物掛け具２は、図３及び図４に示す様に、一対の挟持部２１と、物掛け部２２とを少なくとも有している。
【００２６】
前記一対の挟持部２１は長手方向の中間部に於いて枢軸２５によって回動自在に連結されており、先端部側に把持部２３を有し、基端部側に接離操作部２４を有している。
【００２７】
前記把持部２３は開閉動作により板状の被取付体３を把持する。把持部２３の開閉動作は、接離操作部２４による接離操作により実行される。また、挟持部２１には、把持部２３を閉じる方向に付勢する付勢部２７が設けられている。
【００２８】
前記付勢部２７は、リング状に湾曲させた金属棒の両端で、挟持部２１の外側に固定した構成を有する。但し、本考案はこの態様に限定されるものではなく、例えば、コイルばね、板ばね等のばね、ゴム等の弾性部材を用いて挟持部２１を付勢する構造であってもよい。付勢部２７を設けることで、把持部２３が被取付体３を把持するときに、付勢部２７が当該把持部２３を閉じる方向に付勢する。その結果、把持部２３に於いて被取付体３を把持する把持力を高めることができ、物掛け具２が被取付体３から容易に脱落するのを防止することができる。
【００２９】
被取付体３を把持する際に把持部２３が被取付体３に当接する当接面は、平面視に於いて矩形状となる様に形成されている。これにより、被取付体３との接触面積を一定程度確保し、物掛け具２の位置ズレや脱落を抑制することができる。尚、当接面の面積は特に限定されず、物掛け具２の位置ズレや脱落の抑制が可能な程度に適宜設定することができる。
【００３０】
また、前記把持部２３は、当該把持部２３で被取付体３を把持する際に当該被取付体３に当接する当接面側に係止部２６をそれぞれ備える。係止部２６は、被取付体３に対して滑り止め機能を発揮する材料で構成されている。これにより、挟持部２３が被取付体３を把持した際に、物掛け具２の位置ズレや脱落を抑制することができる。係止部２６の材料は特に限定されず、例えば、ゴム等の摩擦抵抗が大きいものを用いることができる。係止部２６の把持部２３への固定方法としては特に限定されず、例えば、接着剤等を用いることができる。尚、係止部２６は前記把持部２３を密着した状態で包摂するものであってもよい。
【００３１】
前記接離操作部２４は、把持部２３の開閉のために接離操作の実行を可能にする。接離操作部２４を、付勢部２７による付勢力に抗して閉じることにより、把持部２３を開状態にすることができる。
【００３２】
前記物掛け部２２は、一対の接離操作部２４のうち、図４に示す下方側の接離操作部２４の終端部に設けられている。物掛け部２２は、対向する上方側の接離操作部２４に向かって開口する様に、略半円形状に曲折して形成されている。上方側の接離操作部２４に向かって開口する様な略半円形状とすることで、棒状部４を係止し支承することができる。
【００３３】
以上の様に、本実施の形態２に係る物掛け具２は、挟持部２１に於ける把持部２３で板状の被取付体３を把持すると共に、物掛け部２２で棒状部４を支承することができる。これにより、本実施の形態の物掛け具２であると、当該物掛け具２を被取付体３に取り付けることで、室内用の物干し棒等の棒状部４を簡便に橋架することができる。
【符号の説明】
【００３４】
１、２  物掛け具
３  被取付体
４  棒状部
１１、２１  挟持部
１２、２２  物掛け部
１３  係止部
１４  曲折部
１５  連結部
１６  開口部
２１  挟持部
２３  把持部
２４  接離操作部
２５  枢軸
２６  係止部
２７  付勢部
【図１】
0003221717.tif 000003
【図２】
0003221717.tif 000004
【図３】
0003221717.tif 000005
【図４】
0003221717.tif 000006